(57)【要約】      （修正有）【課題】光学干渉によるモアレやニュートン環を起こさない、透明基板と構造化された表面層とを備えた光学フィルムを提供する。【解決手段】複数の非平行で近接する柱状構造を有し、集光が可能であり、光学干渉を減少させることが可能な構造化された表面層を基板の上面上に配置する。この表面層は、二つの非平行で交差した柱状構造７と、二つの非平行だが交差しない柱状構造８とを含む。柱状構造のパターンはプリズム柱、アーク柱またはこれらの組合せとすることができる。【選択図】図３ａ
2008102497.tif 000002
【特許請求の範囲】
【請求項１】
基板と、
前記基板の一側上に配置された構造化された表面層とを備え、
前記構造化された表面層は、複数の非平行で近接する柱状構造を有する光学フィルム。
【請求項２】
前記柱状構造は、プラズマ柱、アーク柱及びこれらの組み合わせから成る組から選択されている請求項１に記載の光学フィルム。
【請求項３】
前記柱状構造はプリズム柱である請求項１に記載の光学フィルム。
【請求項４】
前記柱状構造はアーク柱である請求項１に記載の光学フィルム。
【請求項５】
前記柱状構造はプリズム柱及びアーク柱の組み合わせを有する請求項１に記載の光学フィルム。
【請求項６】
前記プリズム柱は５０°から１２０°の範囲内の頂角を有する請求項３に記載の光学フィルム。
【請求項７】
前記プリズム柱の頂角は８５°から９５°の範囲内である請求項６に記載の光学フィルム。
【請求項８】
前記基板はガラス基板またはプラスチック基板である請求項１に記載の光学フィルム。
【請求項９】
前記構造化された表面層は、複数の非平行で近接する線形な柱状構造から本質的に成る請求項１に記載の光学フィルム。
【請求項１０】
ポリエステル樹脂の基板と、
前記基板の上面上に配置された構造化された表面層とを備える光学フィルムであり、
前記構造化された表面層は複数の非平行で近接する線形なプリズム柱状構造を有し、前記柱状構造の幅は１μｍから１００μｍの範囲内であり、前記光学フィルムが少なくとも１．５０の屈折率を有する光学フィルム。
【請求項１１】
前記構造化された表面層は、二つの非平行で交差した柱状構造の組を有する請求項１０に記載の光学フィルム。
【請求項１２】
前記構造化された表面層は、二つの非平行だが交差しない柱状構造の組を有する請求項１０に記載の光学フィルム。
【請求項１３】
前記構造化された表面層は、二つの互いに平行な柱状構造の組を更に有する請求項１０に記載の光学フィルム。
【請求項１４】
前記プリズム柱状構造は５０°から１２０°の範囲内の頂角を有する請求項１０に記載の光学フィルム。
【請求項１５】
前記プリズム柱状構造の頂角は８５°から９５°の範囲内の頂角を有する請求項１４に記載の光学フィルム。
【請求項１６】
前記構造化された表面層は（メタ）アクリル酸樹脂から成る請求項１０に記載の光学フィルム。
【請求項１７】
前記基板の下面が平坦である請求項１０に記載の光学フィルム。
【請求項１８】
前記基板の下面が非平坦である請求項１０に記載の光学フィルム。
【請求項１９】
面光源装置と、
前記面光源装置の光射出面の上方に配置された光学フィルムとを備え、
前記光学フィルムは構造化された表面層を有し、前記構造化された表面層は複数の非平行で近接する柱状構造を有するディスプレイ。
【発明の詳細な説明】
【技術分野】
【０００１】
本発明は、平面ディスプレイに適用可能な光学フィルムに関する。
【背景技術】
【０００２】
液晶ディスプレイ（ＬＣＤ）パネルは発光しないので、明るさの源として機能するバックライトモジュールが、液晶ディスプレイ（ＬＣＤ）に対して重要な要素となり、またディスプレイの輝度を増強するためにも非常に重要である。当該業界において、ＬＣＤパネルの輝度を増強する試みは多くあり、例えば、ランプの数を増やすことが挙げられる。しかしながら、ランプの数を増やすことにより、ＬＣＤに過度の熱が容易に蓄積され、他の素子の耐用年数及び品質に影響を与える。一方では、電力消費が大きいので、電力線に接続されていない際の電力供給にバッテリーを用いる情報製品の多くに関わる要求を満たすことはできない。現在のところ、素子のデザインを変更したり追加のエネルギーを消費したりせずに、ＬＣＤパネルの輝度を増強し光源の効率を最大にするために、多様な光学フィルムがバックライトモジュールにおいて用いられている。この方法は最も経済的で便利な解決策になってきている。
【０００３】
集光フィルム（当該分野においては輝度増強フィルムまたはプリズムフィルムとも称される）は、厚さ僅か５０〜２００μｍのポリエステルの光学フィルム上に活性なＵＶ光を用いて特別なアクリル樹脂を硬化させることによって形成されたマイクロストリップ形状のプリズム構造を有する。ここで、マイクロストリップ形状のプリズム構造は互いに平行である。輝度増強フィルムの主要な機能には、屈折及び内部全反射という手段によって全方向において導光板からやって来る散乱光線を集めることと、略±３５度の軸上方向に光線を集束させてＬＣＤの輝度を増強することとが含まれる。図１は従来の輝度増強フィルムの概略図である。図１に示されるように、複数のマイクロストリップ形状のプリズム構造（２）が基板（１）上に配置される。このマイクロストリップ形状のプリズム構造は互いに平行である。プリズム構造のそれぞれは、二つの傾斜した表面から成る。ここで、この二つの傾斜した表面はプリズムの頂点で合わさってピット（３）を形成し、二つのプリズム同士が合わさって、溝（４）を形成する。従来技術の輝度増強フィルムは固定された幅を有する規則的なストリップ形状の構造を備えるので、ディスプレイの他のフィルムにより屈折または反射された光線によって、または、輝度増強フィルムにより屈折または反射された他の光線によって引き起こされる光学干渉が生じ、モアレまたはニュートン環が現れる。
【０００４】
現在、輝度増強フィルム、その改良品及びその製造方法、バックライトモジュールへの適用方法に関する特許文献が多数発行されている。これらの従来技術において、輝度増強フィルムを改良する方法が開示されてきた。例えば、特許文献１には、ピット距離（つまり近接するピット間の距離）が異なる二組のプリズム構造を用いて、輝度増強フィルムを作成することが開示されている。特許文献２には、ピット高さが異なる二組のプリズム構造を用いて、輝度増強フィルムを作成する方法が開示されている。ここで、ピット高さとは、ピットから基準面（例えば、基板の上面）までの距離のことを称する。特許文献１及び特許文献２で用いられるプリズム構造においては、単一のプリズム構造は単一のピット高さを有する。特許文献３には、異なるピット高さを有する単一のプリズム構造（つまり、プリズムのピットラインが直線ではない）を用いて、輝度増強フィルムを作成する方法が開示されている。図２は特許文献３の輝度増強フィルムの概略図であり、複数のマイクロプリズム構造（６）が基板（５）上に配置されている。このプリズム構造は互いに平行であり、単一のプリズム構造は、その長さ方向毎に、ピットの高さが異なる。しかしながら、従来の輝度増強フィルムにおいては、ピット距離またはピット高さが変更されるといっても、輝度増強構造は規則的なままである。即ち、プリズムは互いに平行である（つまり、平行なピットまたは平行な溝を有する）。従って、光学干渉を効果的に軽減することは出来ない。当該業界において提案されている解決策は、輝度増強フィルムの上方に拡散フィルムを配置することである。しかしながら、これには、コストの増加とバックライトモジュールが複雑になるという不利な点がある。さらには、従来の輝度増強フィルムは規則的な輝度増強構造を有しているので、輝度増強構造が損傷を受けると、例えば、プリズム構造の頂角がへこみ、集光効果が不利に影響を受けるか、パネル上にダークスポットが生じる。従って、輝度増強フィルムは、硬度が高くて損傷を受けない輝度増強構造を有する必要があるが、これによって製造コストが上昇することになる。
【０００５】
【特許文献１】米国特許第５９１９５５１号明細書
【特許文献２】米国特許第５７７１３２８号明細書
【特許文献３】米国特許第６３５４７０９号明細書
【発明の開示】
【発明が解決しようとする課題】
【０００６】
本願発明は、上述の欠点を解消する光学フィルムを提供する。
【課題を解決するための手段】
【０００７】
本願発明の光学フィルムは、非平行で近接する柱状構造を有し、集光が可能であり、光学干渉を減少させることが可能である。これに加えて、従来技術と比較して、本願発明の光学フィルムは、非規則的な輝度増強構造及び工程の要求が厳しくないことにより、低コストで製造可能である。
【０００８】
本願発明は、平面ディスプレイの輝度を増強し、また、光学干渉を減少させるための光学フィルムを主に対象とする。本願発明は、透明基板及び構造化された表面層を含む光学フィルムを提供する。この構造化された表面層は、透明基板の上面上に配置され、複数の非平行で近接した柱状構造を有する。
【発明を実施するための最良の形態】
【０００９】
本願発明の光学フィルム用の透明基板は、当業者に周知の基板のいずれかとすることができ、例えば、ガラス基板やプラスチック基板が挙げられる。プラスチック基板は特に限定されず、ポリエチレンテレフタレート（ＰＥＴ）等のポリエステル樹脂；ポリメタクリル酸メチル（ＰＭＭＡ）等のポリアクリル酸樹脂；ポリエチレン（ＰＥ）やポリプロピレン（ＰＰ）等のポリオレフィン樹脂；ポリシクロオレフィン樹脂；ポリイミド樹脂；ポリカーボネート樹脂；ポリウレタン樹脂；トリアセテートセルロース（ＴＡＣ）；やこれらの混合物が挙げられるが、これらに限定されるものではない。これらの中では、ポリエステル樹脂及びポリアクリル酸樹脂がより好ましいものである。基板の厚さは、所望の光学製品の要求に応じるのが通常であり、好ましくは略５０μｍ（ミクロン）から略３００μｍの間である。
【００１０】
輝度増強効果を達成するため、本願発明の光学フィルムは、基板の上面上に、輝度増強層として機能する構造化された表面層を含む。本願発明の光学フィルムの構造化された表面層は、空気の屈折率よりも高い屈折率を有する樹脂のいずれかから成ることができる。一般的に、屈折率が高いほど、より良い効果が得られる。本願発明の光学フィルムは少なくとも１．５０、好ましくは１．５０から１．７までの屈折率を有する。構造化された表面層用の樹脂としては、例えば、当業者に周知の熱硬化性樹脂やＵＶ硬化性樹脂が挙げられるが、これらの中では、ＵＶ硬化性樹脂の方が好ましい。ＵＶ硬化性樹脂の種類としては、アクリル酸樹脂が挙げられるが、これに限定されるものではない。本願発明で使用可能なアクリル酸樹脂としては、（メタ）アクリル酸樹脂、アクリル酸ウレタン樹脂、アクリル酸ポリエステル樹脂、アクリル酸エポキシ樹脂やこれらの混合物が挙げられるが、これらに限定されるものではない。これらの中では、（メタ）アクリル酸樹脂がより好ましい。
【００１１】
本願発明で使用可能な（メタ）アクリル酸樹脂は、例えば、（メタ）アクリル酸、ジ（メタ）アクリル酸トリプロピレングリコール、ジ（メタ）アクリル酸１，４‐ブタンジオール、ジ（メタ）アクリル酸１，６‐ヘキサンジオール、ジ（メタ）アクリル酸ポリエチレングリコール、ジ（メタ）アクリル酸アリル化シクロヘキシル、ジ（メタ）アクリル酸イソシアヌレート、（メタ）アクリル酸２‐フェノキシエチル、トリ（メタ）アクリル酸エトキシ化トリメチロールプロパン、トリ（メタ）アクリル酸プロポキシ化グリセロール、トリ（メタ）アクリル酸トリメチロールプロパン、トリ（アクリロキシエチル）イソシアヌレート樹脂、及びこれらの組み合わせから成る組から選択される。
【００１２】
（メタ）アクリル酸樹脂を合成するのに使用可能な市販のモノマーとしては、例えば、Ｓａｒｔｏｍｅｒ社製のＳＲ４５４（登録商標）、ＳＲ４９４（登録商標）、ＳＲ９０２０（登録商標）、ＳＲ９０２１（登録商標）、ＳＲ９０４１（登録商標）という商品名のモノマー；Ｅｔｅｒｎａｌ社製の６２４‐１００（登録商標）、ＥＭ２１０（登録商標）という商品名のモノマー；ＵＣＢ社製のＥｂｅｃｒｙｌ６００（登録商標）、Ｅｂｅｃｒｙｌ８３０（登録商標）、Ｅｂｅｃｒｙｌ３６０５（登録商標）、Ｅｂｅｃｒｙｌ６７００（登録商標）という商品名のモノマーが挙げられる。
【００１３】
例えば、光開始剤、架橋剤、無機充填剤、均染剤、消泡剤、帯電防止剤等の従来の添加剤を、構造化された表面層用の樹脂に任意で追加することが可能である。
【００１４】
本願発明の光学フィルムの構造化された表面層は、基板の上面上に配置され、非平行で近接する柱状構造を複数有する。柱状構造の形状は特に限定されないが、例えば、線形、ジグザグ型、曲がりくねった形状が挙げられる。本願発明によると、構造化された表面層は、二つの非平行で交差した柱状構造の組、及び／又は、二つの非平行だが交差しない柱状構造の組を含んでもよい。構造化された表面層は、平行な柱状構造をある程度有することが可能である。図３ａ及び３ｂは、本願発明の光学フィルムの概略図であり、光学フィルムの構造化された表面層は、非平行で線形な柱状構造から成る。図３ａは光学フィルムの上面図であり、図３ｂは、図３ａの選択された領域の側面図である。図３ａ及び３ｂに示されるように、光学フィルムの構造化された表面層は、二つの非平行で交差した柱状構造（７）と二つの非平行だが交差しない柱状構造（８）とを含む。図４は、本願発明の他の光学フィルムの概略図であり、光学フィルムの構造化された表面層は、主に非平行で線形な柱状構造から成り、追加的に平行で線形な柱状構造を有する。図４に示されるように、光学フィルムの構造化された表面層は、二つの非平行で交差した柱状構造（９）と、二つの非平行だが交差しない柱状構造（１０）と、二つの平行な柱状構造（１１）とを含む。
【００１５】
柱状構造のパターンは当業者には周知であり、プリズム柱、アーク柱またはこれらの組合せとすることができるが、プリズム柱の方が好ましい。アーク柱は鈍頭または円形のピットを有する。プリズム柱の頂角は５０°から１２０°の範囲内であり、好ましくは８５°から９５°である。本願発明によると、二つの近接するプリズムのそれぞれの頂角は同じであっても異なっていてもよく、同一のプリズムが異なる部分で異なる頂角を有することもできる。プリズム柱を有する構造化された表面は、優れた輝度増強能を有し、ディスプレイの輝度を増強する。
【００１６】
図５、６、７及び８は、本願発明の光学フィルムの実施例を例示する断面図である。図５の光学フィルムは、基板（１２）上に、先端の高さ（１１１）が同一の複数のプリズム柱状構造（１３）から成る構造化された表面層を有する。図６の光学フィルムは、基板（１４）上に、頂角（１１２）、幅（１１３）及び先端の高さ（１１１）が異なる複数のプリズム構造（１５）から成る構造化された表面層を有する。図７の光学フィルムは、基板（１６）上に、複数のアーク柱状構造（１７）から成る構造化された表面層を有し、柱状構造の先端及び溝は円弧形状である。図８の光学フィルムは、基板（１８）上に、先端の高さが同じかまたは異なる複数のプリズム柱状構造（１９）及び先端の高さが同じかまたは異なる複数のアーク柱状構造（２０）から成る構造化された表面層を有する。
【００１７】
図５及び６を参照すると、本願発明の柱状構造の先端の高さ（１１１）とは、柱状構造の上端（例えば、プリズム構造の先端）から基板の上面までの距離のことを意味する。本願発明によると、先端の高さは一般的には５μｍから１００μｍであり、好ましくは１０μｍから４０μｍである。二つの近接するプリズム構造それぞれの先端の高さは同じであっても異なっていてもよい。図３ｂに示すように、本願発明によると、構造化された表面層は、先端の高さが異なる二つの近接するプリズム構造を含む。図９に示すように、本願発明によると、構造化された表面は、先端の高さが等しい二つの近接するプリズム構造を含む。これに加えて、同一のプリズムが、異なる部分で異なる先端の高さを有してもよい。
【００１８】
図６を参照すると、本願発明の柱状構造の幅（１１３）は、柱状構造の二つの溝の間の距離として定義される。本願発明によると、構造化された表面層は、幅の異なる複数の柱状構造を有し、一つの柱状構造が異なる部分で異なる幅を有することによって、非平行な柱状構造を形成することが可能である。柱状構造の幅は１μｍから１００μｍの範囲内である。好ましい幅は、液晶ディスプレイの画素のピッチに応じて選択され、選択された幅は、モアレ干渉を減少させることに寄与することが望ましい。
【００１９】
図７を参照すると、構造化された表面はアーク柱状構造から成り、重ねられる光学フィルムに傷が付けられることを防止する。図８を参照すると、構造化された表面層は、複数のプリズム柱状構造（１９）及び複数のアーク柱状構造（２０）から成る。アーク柱状構造は、プリズム柱状構造の先端の高さよりも高い先端の高さを有し、本願発明の光学フィルムまたは他のフィルムに傷が付けられることを防止し、光拡散効果を達成し、モアレ干渉を減少させる。プリズム柱状構造はより低い先端の高さを有し、輝度増強効果を達成する。
【００２０】
図１０は、本願発明による光学フィルムの走査型電子顕微鏡（ＳＥＭ）写真である。図１０に示されるように、光学フィルムは、基板表面上に、構造化された表面層を有する。構造化された表面層は、非平行なプリズム構造から実質的に成り、二つの近接する柱状構造は、頂角、幅、及び先端の高さが異なってもよい。
【００２１】
従来の輝度増強フィルムの構造は極度に規則的であり、フィルムが他の構成要素と共に使用される際に、直接屈折及び複屈折光による干渉のせいで、所謂“反射モアレ”が引き起こされる。本願発明の光学フィルムは構造化された表面層を有し、また、構造化された表面層が非平行な近接する柱状構造を有するので、本願発明の光学フィルムは、従来の輝度増強フィルム及び拡散フィルムの性質を併せ持ち、輝度増強効果を保持したままで、規則的な輝度増強構造によって引き起こされていた光学干渉を減少させることができる。従来の輝度増強フィルムと比較すると、本願発明の光学フィルムは、干渉を減少させる効果を達成しながらも、従来の輝度増強フィルムの輝度値の少なくとも９０％以上を維持可能である。
【００２２】
本願発明の光学フィルムの基板の下面のパターンは特に限定されず、例えば、当業者に周知であるように平坦であったり非平坦であったりする。平坦または非平坦な下面の形成方法は当業者には周知である。例えば、ハードマスクの溶液を基板の下面に適用して、コーティング層を形成することができ、その後、コーティング層はＵＶ光照射されて、平坦なハードコート層が形成される。代わりに、微小な凹または凸構造を基板の下面上に形成することができ、非平坦な下面が得られて、これによって光拡散効果が達成される。微小な凹または凸構造は、従来方法のいずれかによって形成可能であり、例えば、スクリーン印刷、スプレーコーティング、エンボス加工、基板表面に粒子を含有するコーティング層を適用する方法が挙げられるが、これらに限定されない。
【００２３】
本願発明の光学フィルムは、当業者に周知の従来方法のいずれかによって製造可能である。例えば、以下の段階を備えた方法によって製造可能である。即ち、
（ａ）樹脂を適切な添加剤と混合してコロイド状のコーティング合成物を形成する段階と、
（ｂ）ダイヤモンド工具を回転している円筒状ロール（“ローラー”と称す）上でローラーの横方向に移動させて、ダイヤモンド工具の移動速度及び／又はローラーの回転速度を制御することによってダイヤモンド工具でローラー上に特定の溝を刻み込む段階と、
（ｃ）基板上にコロイド状のコーティング合成物を加えて、段階（ｂ）で得られた刻み込まれたローラー上にローラーエンボス加工、熱転写印刷または熱押出しを実施して、構造化された表面層を形成する段階と、
（ｄ）コーティング層を照射及び／又は加熱してコーティング層を硬化させる段階とを備える。
【００２４】
段階（ｂ）において、ダイヤモンド工具の移動速度は、電気信号、例えば固定周波数またはランダム周波数によって制御可能であることが好ましい。ランダム周波数を使用する場合には、多重の非平行な溝を得るために、また、交差した溝を得るために、段階（ｂ）を反復する。硬化段階（ｄ）は照射によって実施し、光重合を生じさせることが好ましい。照射は、特定の波長範囲の光源を用いて実施され、例えば、ＵＶ光、赤外光、可視光、熱線（核線または放射線）が挙げられるが、これらの中ではＵＶ光が好ましい。照射強度は１から５００ｍＪ／ｃｍ２であり、好ましくは５０から３００ｍＪ／ｃｍ２である。
【００２５】
本願発明の光学フィルムは、ディスプレイ、特に液晶ディスプレイに使用可能であり、光源装置の光射出面の上方に配置される。本願発明の光学フィルムは、基板上に、構造化された表面層を有し、その構造化された表面層は複数の非平行な柱状構造を有する。本願発明の光学フィルムは、光拡散特性及び光増強特性の両方を有し、これによって、輝度増強効果が達成され、ディスプレイの全体的な輝度が増強される一方で、光学干渉が減少する。従って、本願発明の光学フィルムは、ディスプレイのバックライトモジュール中の輝度増強フィルムとして使用可能である。
【００２６】
以下の例は本願発明を更に例示するものであり、本願発明の範囲を制限することを意図したものではない。当業者によって達成可能な修正及び変更はいずれも、本願明細書及び特許請求の範囲の開示範囲内にある。
【００２７】
〈実施例１  本願発明の光学フィルムの作成〉
６０ｇのＥＭ２１０（登録商標）（Ｅｔｅｒｎａｌ社製のアクリル酸２‐フェノキシエチル）及び６０ｇの６２４‐１００（登録商標）（Ｅｔｅｒｎａｌ社製のアクリル酸エポキシ）を混合して、その後、５ｇのＣｈｉｖａｃｕｒｅ（登録商標）ＢＰ（Ｄｏｕｂｌｅ  Ｂｏｎｄ  Ｃｈｅｍｉｃａｌ製のベンゾフェノン）を光開始剤として加え、混合物を５０℃で１０００ｒｐｍで撹拌して、コロイド状コーティング合成物を形成した。
【００２８】
コロイド状コーティング合成物をＰＥＴ基板（東レ社製のＵ３４（登録商標））上にコーティングしてコーティング層を形成し、その後、ローラーエンボス加工によって、構造化された表面層をコーティング層上に形成した。構造化された表面層は、複数の非平行で近接する線形なプリズムパターンを含む。その後、コーティング層を常温で活性な放射によって照射して硬化させた。
【００２９】
〈実施例１‐１  本願発明の光学フィルムに対する特性テスト〉
実施例１で作成した光学フィルムをＳＥＭでテストし、その結果を図１１に示す。更に、実施例１で作成した光学フィルムの輝度増強テストをトプコン社製のＢＭ‐７（登録商標）装置を用いて実施し、その結果を表１に示す。
【００３０】
〈実施例１‐２従来の輝度増強フィルムに対する特性テスト〉
従来の輝度増強フィルムをＳＥＭでテストし、その結果を図１２に示す。更に、このフィルムの輝度増強テストをトプコン社製のＢＭ‐７（登録商標）装置を用いて実施し、その結果を表１に示す。
【００３１】
【表１】
2008102497.tif 000003
【００３２】
表１から見て取れるように、従来の輝度増強フィルムと比較して、本願発明による光学フィルムは、従来の輝度増強フィルムの輝度の利得の略９９％の利得を有する。
【００３３】
〈実施例２〉
従来の輝度増強フィルム及び実施例１によって作成された光学フィルムを、上部プリズムフィルムまたは下部プリズムフィルムとして用い、バックライトモジュール（Ｆｏｒｗａｒｄ  Ｅｌｅｃｔｒｏｎｉｃｓ製の３２ＷＡ０１）上に導光板及び拡散フィルム（Ｅｔｅｒｎａｌ  Ｃｈｅｍｉｃａｌ社製のＤＩ７００Ａ）と共に以下の順序で組み立てた。即ち、
１．導光板
２．拡散フィルム
３．下部プリズムフィルム
４．上部プリズムフィルム
の順である。
【００３４】
組み立て後、光源を２０分間オンにして、電流が安定した後で、ＢＭ‐７（登録商標）装置を用いて輝度を測定し、人間の目で光学干渉（モアレ）を検査した。結果を下記の表２に示す。
【００３５】
【表２】
2008102497.tif 000004
【００３６】
表２から見て取れるように、上部プリズムフィルム、または、上部プリズムフィルム及び下部プリズムフィルムの両方として、従来の輝度増強フィルムを本願発明の光学フィルムに交換すると、光学干渉が生ぜず、また、相当する輝度の利得が得られる。従って、本願発明の光学フィルムは光学干渉を減少させることが可能であり、光源の効率を効果的に改善する。
【００３７】
図１１及び１２は、本願発明の光学フィルム及び従来の輝度増強フィルムのＳＥＭ写真である。図１１及び１２を互いに参照すると、従来の輝度増強フィルムが光学干渉によって生じたはっきりとした明暗縞を有する一方で、本願発明の光学フィルムははっきりとした明暗縞を有さないことがわかる。今一度、表２を参照すると、従来の輝度増強フィルムは規則的な柱状構造を有するので、光学干渉があることを示すはっきりとした明暗縞が発生していることがわかる。従来の輝度増強フィルムと交換して、本願発明の光学フィルムを使用しても、輝度の利得はほとんど同じである。しかしながら、本願発明の光学フィルムの構造化された表面層は、非平行な柱状構造を有するので、明暗縞の発生が軽減可能であり、明暗縞が不明瞭になり、光学干渉が効果的に減じられる。
【図面の簡単な説明】
【００３８】
【図１】従来の輝度増強フィルムの概略図である。
【図２】従来の輝度増強フィルムの概略図である。
【図３ａ】本願発明の光学フィルムの上面図である。
【図３ｂ】図３ａの選択された領域の側面図である。
【図４】本願発明の他の光学フィルムの上面図である。
【図５】本願発明の光学フィルムの断面図である。
【図６】本願発明の光学フィルムの断面図である。
【図７】本願発明の光学フィルムの断面図である。
【図８】本願発明の光学フィルムの断面図である。
【図９】本願発明の他の光学フィルムの側面図である。
【図１０】本願発明による光学フィルムの走査型電子顕微鏡（ＳＥＭ）写真である。
【図１１】本願発明の光学フィルムのＳＥＭ写真である。
【図１２】従来の輝度増強フィルムのＳＥＭ写真である。
【符号の説明】
【００３９】
１  基板
２  プリズム構造
３  ピット
４  溝
５  基板
６  マイクロプリズム構造
７、９  非平行で交差した柱状構造
８、１０  非平行だが交差しない柱状構造
１１  平行な柱状構造
１２、１４、１６、１８  基板
１３、１５、１９  プリズム柱状構造
１７、２０  アーク柱状構造
【図１】
2008102497.tif 000005
【図２】
2008102497.tif 000006
【図３ａ】
2008102497.tif 000007
【図３ｂ】
2008102497.tif 000008
【図４】
2008102497.tif 000009
【図５】
2008102497.tif 000010
【図６】
2008102497.tif 000011
【図７】
2008102497.tif 000012
【図８】
2008102497.tif 000013
【図９】
2008102497.tif 000014
【図１０】
2008102497.tif 000015
【図１１】
2008102497.tif 000016
【図１２】
2008102497.tif 000017
【外国語明細書】
2008102497.tif 000018
2008102497.tif 000019
2008102497.tif 000020
2008102497.tif 000021
2008102497.tif 000022
2008102497.tif 000023
2008102497.tif 000024
2008102497.tif 000025
2008102497.tif 000026
2008102497.tif 000027
2008102497.tif 000028
2008102497.tif 000029
2008102497.tif 000030
2008102497.tif 000031
2008102497.tif 000032
2008102497.tif 000033
2008102497.tif 000034
2008102497.tif 000035
2008102497.tif 000036
2008102497.tif 000037
2008102497.tif 000038
2008102497.tif 000039
2008102497.tif 000040